(57)【要約】【課題】本発明は、携帯端末及びバックライトの制御方法を提供する。【解決手段】前記携帯端末は、回転軸により回転可能に接続され、それぞれハウジング及び前記ハウジング中に収容されたバックライトモジュールを含む２つのディスプレイスクリーンと、各ディスプレイスクリーンのハウジングの第１の側辺にそれぞれ設置された２つの連通窓とを含み、そのうち、前記２つのディスプレイスクリーンのうち一方のディスプレイスクリーンの第１の側辺は前記回転軸によって前記２つのディスプレイスクリーンのうち他方のディスプレイスクリーンの第１の側辺にドッキングされ、前記２つのディスプレイスクリーンの表示面が同一平面になるまで反転すると、各ディスプレイスクリーンの連通窓が開き、２つのディスプレイスクリーンのバックライトモジュールが互いに連通してパブリックバックライトモジュールを構成し、２つのディスプレイスクリーンは前記パブリックバックライトモジュールを共用する。【選択図】図３
2019507360.tif 000002
【特許請求の範囲】
【請求項１】
携帯端末であって、
回転軸により回転可能に接続され、それぞれハウジング及び前記ハウジング中に収容されたバックライトモジュールを含む２つのディスプレイスクリーンと、
各ディスプレイスクリーンのハウジングの第１の側辺にそれぞれ設置された２つの連通窓とを含み、
前記２つのディスプレイスクリーンのうち一方のディスプレイスクリーンの第１の側辺が前記回転軸によって前記２つのディスプレイスクリーンのうち他方のディスプレイスクリーンの第１の側辺にドッキングされ、前記２つのディスプレイスクリーンの表示面が同一平面になるまで反転すると、各ディスプレイスクリーンの連通窓が開き、２つのディスプレイスクリーンのバックライトモジュールが互いに連通してパブリックバックライトモジュールを構成し、２つのディスプレイスクリーンが前記パブリックバックライトモジュールを共用する、携帯端末。
【請求項２】
前記連通窓の位置は前記バックライトモジュールの位置に対応し、前記連通窓には、前記第１の側辺に平行であり、前記第１の側辺の内側に位置するとともに前記ハウジング中に収容された遮光板が設置され、前記２つのディスプレイスクリーンの表示面が同一平面になるまで反転すると、前記遮光板はディスプレイスクリーンの表示面に垂直な方向に沿って移動して、前記連通窓を開き、且つ前記バックライトモジュールの反射シート及び少なくとも一部の導光板を露出させる、請求項１に記載の携帯端末。
【請求項３】
各ディスプレイスクリーンの内部に第１の接続部品及び回復コラムが設置され、前記第１の接続部品は第１の端が前記ハウジングの内壁に固定され、第２の端が前記遮光板に接続され、前記回復コラムは前記遮光板に設けられた貫通孔を貫通し且つ前記遮光板の一端は前記ハウジングから延出し、２つのディスプレイスクリーンの表示面が同一平面になるまで反転すると、前記２つのディスプレイスクリーンのうち一方のディスプレイスクリーンにおける回復コラムは、前記２つのディスプレイスクリーンのうち他方のディスプレイスクリーンの第１の側辺による圧力を受けてハウジング中に収納され、前記第１の接続部品は前記遮光板を移動させて、前記連通窓を開く、請求項２に記載の携帯端末。
【請求項４】
前記第１の接続部品の一端が前記ハウジングの頂壁に固定され、前記遮光板は前記第１の接続部品により、前記頂壁の方向へ水平移動するように駆動される、請求項３に記載の携帯端末。
【請求項５】
各ディスプレイスクリーンの内部に第２の接続部品が更に設置され、前記第２の接続部品の第１の端は前記ハウジングに固設されるとともに、前記第２の接続部品の第２の端は前記回復コラムに接続され、２つのディスプレイスクリーンの裏面が対向設置されると、前記回復コラムは前記第２の接続部品により推進されることで、前記回復コラムの前記第２の接続部品に接続されていない一端が前記貫通孔を貫通し、且つ一部の前記回復コラムが前記ハウジングから延出し、前記回復コラムは前記貫通孔と嵌合して、前記遮光板を移動させるように駆動することで、前記連通窓を遮断する、請求項３に記載の携帯端末。
【請求項６】
前記回復コラムの前記ハウジングから延出する一端に傾斜切断面が設けられている、請求項５に記載の携帯端末。
【請求項７】
２つのディスプレイスクリーンのバックライトモジュールは同一の反射シートを使用する、請求項１に記載の携帯端末。
【請求項８】
各ディスプレイスクリーンの内部に収容装置が更に設置され、前記反射シートの前記連通窓に垂直な方向での両端がそれぞれ前記収容装置に接続され、２つのディスプレイスクリーンの表示面が同一平面になるまで反転すると、前記反射シートの前記連通窓に垂直な方向での両端がそれぞれ前記収容装置に収容され、且つ前記反射シートは前記パブリックバックライトモジュールの底部に平坦に敷かれている、請求項７に記載の携帯端末。
【請求項９】
請求項１〜８に記載の携帯端末に適用されるバックライトの制御方法であって、前記携帯端末の各ディスプレイスクリーンのバックライトは、第１の光源群と、２つのディスプレイスクリーンが回転接続される側の近く位置する第２の光源群とを含み、
前記方法は、
前記携帯端末が、２つのディスプレイスクリーンが同一平面になるまで反転した大画面状態にあるか否かを検出するステップと、
前記携帯端末が大画面状態にあると、２つのディスプレイスクリーンのうち一方のディスプレイスクリーンの第２の光源群が作動しないように制御するステップと、
前記携帯端末が大画面状態ではないと、表示すべきディスプレイスクリーンの第１の光源群と第２の光源群が同時に作動するように制御するステップとを含む、バックライトの制御方法。
【請求項１０】
請求項９に記載の方法を実行させるコンピュータ実行可能命令が記憶されたコンピュータ可読記憶媒体。
【発明の詳細な説明】
【技術分野】
【０００１】
本開示は通信技術分野に関し、例えば、携帯端末及びバックライトの制御方法に関する。
【背景技術】
【０００２】
科学技術の発展や進歩に伴い、通信技術は急速に発展し大きな進歩を遂げ、通信技術の発展に伴い、インテリジェント電子製品は幅広く普及し、インテリジェント端末又は携帯端末は人々の生活にとって不可欠なものとなった。インテリジェント端末には、スマートフォン、スマートテレビやコンピュータ等が含まれる。携帯端末の普及に伴い、大画面携帯端末（たとえば、５．５インチより大きいディスプレイスクリーンを有する携帯端末）や二画面携帯端末等の複数種のタイプの携帯端末は異なるユーザーに受け入れられている。
【０００３】
二画面携帯端末はフィーチャーフォンが流行っていた時代の折り畳み式の携帯電話が発展したものであり、二画面が閉じられた状態では携帯端末の両面がすべてスクリーンであるとともに、開いた状態では２つのスクリーンの距離が近く、２つのスクリーンに一つの画像の２部分をそれぞれ表示できなければならない。
【０００４】
関連技術による二画面携帯端末では、２つのディスプレイスクリーンはそれぞれのバックライトを使用するが、２つの同一規格のディスプレイスクリーンの場合にも、様々な原因でバックライトの輝度に一定の差を発生させるため、２つのディスプレイスクリーンが突き合わせられて同一表示画面の２部分をそれぞれ表示すると、２つのディスプレイスクリーンの輝度ムラが顕著になり、ユーザーエクスペリエンスが低下してしまう。
【発明の概要】
【発明が解決しようとする課題】
【０００５】
本発明の携帯端末及びバックライトの制御方法は、関連技術による二画面携帯端末において、２つのディスプレイスクリーンが突き合わせられて同一表示画面の２部分をそれぞれ表示すると、２つのディスプレイスクリーンの輝度ムラによって携帯端末全体の表示効果が低下するという問題を解決した。
【課題を解決するための手段】
【０００６】
携帯端末であって、
回転軸により回転可能に接続され、ハウジング及び前記ハウジング中に収容されたバックライトモジュールを含む２つのディスプレイスクリーンと、
各ディスプレイスクリーンのハウジングの第１の側辺にそれぞれ設置された２つの連通窓とを含み、
前記２つのディスプレイスクリーンのうち一方のディスプレイスクリーンの第１の側辺が前記回転軸によって前記２つのディスプレイスクリーンのうち他方のディスプレイスクリーンの第１の側辺にドッキングされ、前記２つのディスプレイスクリーンの表示面が同一平面になるまで反転すると、各ディスプレイスクリーンの連通窓は開き、２つのディスプレイスクリーンのバックライトモジュールは互いに連通してパブリックバックライトモジュールを構成し、２つのディスプレイスクリーンが前記パブリックバックライトモジュールを共用する、携帯端末。
【０００７】
上記携帯端末に適用されるバックライトの制御方法であって、前記携帯端末の各ディスプレイスクリーンのバックライトは、第１の光源群と、２つのディスプレイスクリーンが回転接続される側の近くに位置する第２の光源群とを含み、
前記方法は、
前記携帯端末が、２つのディスプレイスクリーンが同一平面になるまで反転した第１の状態にあるか否かを検出するステップと、
前記携帯端末が第１の状態にあると、２つのディスプレイスクリーンのうち一方のディスプレイスクリーンの第２の光源群が作動しないように制御するステップと、
前記携帯端末が第１の状態ではないと、表示すべきディスプレイスクリーンの第１の光源群と第２の光源群が同時に作動するように制御するステップとを含む、バックライトの制御方法。
【０００８】
コンピュータ可読記憶媒体であって、実行されると前記コンピュータに上記バックライトの制御方法を実行させるコンピュータ実行可能な１つ又は複数のプログラムが記憶されている、コンピュータ可読記憶媒体。
【発明の効果】
【０００９】
上記携帯端末及びバックライトの制御方法によれば、前記携帯端末は、回転軸により回転可能に接続され、それぞれハウジング及び前記ハウジング中に収容されたバックライトモジュールを含む２つのディスプレイスクリーンと、ディスプレイスクリーンのハウジングの第１の側辺にそれぞれ設置された２つの連通窓とを含み、そのうち、前記２つのディスプレイスクリーンのうち一方のディスプレイスクリーンの第１の側辺が前記回転軸によって前記２つのディスプレイスクリーンのうち他方のディスプレイスクリーンの第１の側辺にドッキングされ、前記２つのディスプレイスクリーンの表示面が同一平面になるまで反転すると、各ディスプレイスクリーンの連通窓が開き、２つのディスプレイスクリーンのバックライトモジュールが互いに連通してパブリックバックライトモジュールを構成し、２つのディスプレイスクリーンが前記パブリックバックライトモジュールを共用する。２つのディスプレイスクリーンがドッキングされた側壁に連通窓が設置されていることにより、前記２つのディスプレイスクリーンの表示面が同一平面になるまで反転すると、側壁に位置する連通窓は開く。それにより、２つのディスプレイスクリーンのバックライトモジュールが連通してパブリックバックライトモジュールを構成し、バックライト板による伝導や反射シートによる反射等により、パブリックバックライトモジュールにおける光が均一に分布されることで、２つのディスプレイスクリーンのバックライトモジュールにおける光量を同じにすることにより、２つのディスプレイスクリーンの輝度を一致させる。
【図面の簡単な説明】
【００１０】
【図１】本発明の好ましい実施例に係る携帯端末が第１の状態にある斜視図である。
【図２】図１に示す携帯端末が第２の状態にある斜視図である。
【図３】図１に示す携帯端末の側面図である。
【図４】図１のＩＶ−ＩＶ矢視の部分断面拡大図である。
【図５】図１のＶ−Ｖ矢視の部分断面拡大図である。
【図６】一実施形態に係るバックライトの制御方法のフローチャートである。
【発明を実施するための形態】
【００１１】
以下、実施例の図面を参照しながら実施例の技術案を説明する。
【００１２】
図１３に示すように、図１は本実施例による携帯端末が第１の状態にある斜視図、図２は図１に示す携帯端末が第２の状態にある斜視図である。図３は図１に示す携帯端末の側面図である。本実施例による携帯端末１００は２つのディスプレイスクリーン１０と２つの連通窓１２０を含む。前記２つのディスプレイスクリーン１０は回転軸２０により回転可能に接続される。各ディスプレイスクリーン１０は表示領域１０１及び前記表示領域１０１を取り囲んだ周辺領域１０２を更に含み、前記表示領域１０１は各ディスプレイスクリーンの表示機能を実現するために用いられる。
【００１３】
本実施例の携帯端末１００は２つの使用状態を有することができる。前記携帯端末１００が第１の状態にあると、図１に示すように、２つのディスプレイスクリーン１０の裏面が対向設置される。図２に示すように、携帯端末１００が第２の状態にあることを示すと、一方のディスプレイスクリーン１０は２つのディスプレイスクリーン１０を接続する回転軸２０により反転することで、２つのディスプレイスクリーンの表示面を同一平面にすることができる。そのうち、前記携帯端末１００において、各ディスプレイスクリーン１０は単独に使用してもよいし、同時に使用してもよい。
【００１４】
各ディスプレイスクリーン１０はハウジング１１０及び前記ハウジング１１０内に収容されたバックライトモジュール１７０（図４に示すように）を含み、各ディスプレイスクリーン１０の前記ハウジング１１０の第１の側辺１１１に連通窓１２０が設置され、前記２つのディスプレイスクリーンのうち一方のディスプレイスクリーンの第１の側辺が回転軸２０によって前記２つのディスプレイスクリーンのうち他方のディスプレイスクリーンの第１の側辺にドッキングされ、第１の側辺１１１に前記連通窓１２０を制御するための回復コラム１３０が更に設置されてもよい。
【００１５】
好ましくは、前記連通窓１２０は前記第１の側辺１１１の中心に位置し、前記連通窓１２０は各前記ディスプレイスクリーン１０のバックライトモジュール１７０の位置に対応し、前記回復コラム１３０は前記連通窓１２０の回転軸２０に沿った方向の両側に位置し、前記第１の側辺１１１において前記回復コラム１３０に対応した位置に貫通孔１１１１（図４に示す）が設置されている。前記携帯端末１００が第１の状態にあると、前記回復コラム１３０は前記貫通孔１１１１を貫通して前記ハウジング１１０から延出する。
【００１６】
前記携帯端末１００が第２の状態にあると、すなわち、前記２つのディスプレイスクリーン１０の表示面が同一平面になるまで反転すると、各ディスプレイスクリーン１０の第１の側辺における前記連通窓１２０が開き、２つのディスプレイスクリーン１００中に収容された２つのバックライトモジュール１７０が互いに連通してパブリックバックライトモジュールを構成し、２つのディスプレイスクリーンが前記パブリックバックライトモジュールを共用する。その際、他方のディスプレイスクリーン１０の第１の側辺１１１は前記回復コラム１３０に圧力を印加することで、前記回復コラム１３０を前記ハウジング１１０中に収納させる。
【００１７】
図４は図１のＩＶ−ＩＶ矢視の部分断面拡大図、図５は図１のＶ−Ｖ矢視の部分断面拡大図である。図４及び図５に示すように、各ディスプレイスクリーン１０は遮光板１４０、第１の接続部品１５０、第２の接続部品１６０、バックライトモジュール１７０及びディスプレイパネル１８０を更に含むことができる。前記遮光板１４０、前記第１の接続部品１５０、前記第２の接続部品１６０、前記バックライトモジュール１７０及び前記ディスプレイパネル１８０は前記ハウジング１１０中に収容できる。
【００１８】
好ましくは、前記遮光板１４０は前記連通窓１２０に対応して設置され、前記遮光板１４０は前記第１の側辺１１１に平行であり、且つ前記第１の側辺１１１の内側に位置し、前記遮光板１４０の面積は前記連通窓１２０の面積より大きいことにより、前記遮光板１４０が前記連通窓１２０を完全に遮断できるようにする。
【００１９】
前記遮光板１４０には、前記第１の側辺１１１における貫通孔１１１１に対応して設けられた貫通孔１４１が更に設置されてもよい。前記貫通孔１４１は、前記貫通孔１１１１に連通することで、前記回復コラム１３０が貫通孔１４１及び前記貫通孔を貫通して前記ハウジング１１０から延出する。
【００２０】
前記第１の接続部品１５０は前記ディスプレイスクリーン１０に設置されてもよく、前記第１の接続部品１５０の第１の端は前記ハウジング１１０の内壁に固定され、すなわち、前記第１の側辺１１１に垂直な方向に沿って、第１の接続部品１５０の第１の端は頂壁１１２まで延伸し、前記第１の接続部品１５０の第２の端は前記遮光板１４０に接続される。前記第１の接続部品１５０は弾性を有する接続部品であってもよい。好ましくは、本実施形態では、前記第１の接続部品１５０はばねであってもよい。
【００２１】
前記ハウジング１１０の頂壁１１２の前記頂壁１１２に対向設置された底壁に向ける一側に取付板１１３が突設され、前記取付板１１３は前記第１の側辺１１１に平行であり、前記取付板１１３は前記ディスプレイスクリーン１０の前記回転軸２０の軸方向に沿った両端にある周辺領域内に対応して位置し、前記取付板１１３、前記第１の側辺１１１及び前記頂壁１１２は取り囲んでＵ字型溝を構成し、前記第１の接続部品１５０及び前記遮光板１４０は前記Ｕ字型溝中に位置する。
【００２２】
前記取付板１１３の前記Ｕ字型溝に近い一側に取付溝１１３１が設置され、前記第２の接続部品１６０は前記取付溝１１３１内に収容され、且つ前記第２の接続部品１６０の第１の端は前記取付溝１１３１の底面に固定され、前記第２の接続部品１６０の第２の端は前記回復コラム１３０に接続される。前記第２の接続部品１６０は弾性を有する接続部品であってもよい。好ましくは、本実施形態では、前記第２の接続部品１６０はばねであってもよい。
【００２３】
前記回復コラム１３０の一端は前記第２の接続部品１６０に接続されてもよく、前記回復コラム１３０の前記第２の接続部品１６０に接続された一端は前記取付溝１１３１中に収容され、且つ、前記第２の接続部品１６０とともに前記取付溝１１３１内を移動可能である。前記回復コラム１３０の前記第２の接続部品１６０に接続されていない一端は前記貫通孔１４１及び前記貫通孔１１１１を貫通することで、前記ハウジング１１０から延出することができる。前記回復コラム１３０の前記ハウジング１１０から延出可能な一端には、前記ハウジング１１０の内部に向けて下向きに傾斜可能な切断面１３１が設置されてもよく、前記切断面１３１の先端が外へ延伸して支持柱１３２を構成することで、２つのディスプレイスクリーンが突き合わせた際、すなわち、前記２つのディスプレイスクリーン１０の表示面が同一平面になるまで反転する際、前記回復コラム１３０が該回復コラム１３０に対応した第１の側辺により押されることにより、前記ハウジング１１０に収納されることを確保する。
【００２４】
前記バックライトモジュール１７０は前記ディスプレイパネル１８０に積層されるように設置されてもよく、前記バックライトモジュール１７０は反射シート１７１、導光板１７２、光学フィルム群１７３及び光源（未図示）を含み、前記光学フィルム群１７３は前記導光板１７２と前記ディスプレイパネル１８０との間、前記導光板１７２は前記光学フィルム群１７３と前記反射シート１７１との間に位置する。前記光源は前記導光板１７２に平行に設置され、前記導光板１７２の前記遮光板１４０から離れた一端に位置する。本実施例では、２つのディスプレイスクリーンのバックライトモジュールは同一反射シートを共用できる。
【００２５】
前記携帯端末１００が第１の状態にあると、すなわち、２つのディスプレイスクリーン１０の裏面が対向設置されると、前記第２の接続部品１６０は自然状態にあり、力を受けないとともに、前記回復コラム１３０との間に力が作用されず、前記回復コラム１３０の一端は前記貫通孔１４１及び前記第１の側辺１１１における貫通孔１１１１を順に貫通するとともに、前記ハウジング１１０から延出する。
【００２６】
前記反射シート１７１は前記連通窓１２０から延出し、且つ前記回転軸２０を経て他方のディスプレイスクリーンの連通窓に入って、他方のディスプレイスクリーンのバックライトモジュール内に収容され、前記反射シート１７１の前記遮光板１４０に垂直な方向での両端は２つのバックライトモジュールの導光板と面一になってもよく、２つのバックライトモジュールの導光板よりも２つのバックライトモジュールの導光板分高くてもよい。
【００２７】
前記回復コラム１３０が係合されると、前記遮光板１４０は前記第１の接続部品１５０を引っ張り、前記頂壁１１２から離れ、且つ前記連通窓１２０を遮断し、前記連通窓１２０を完全に閉じて前記バックライトモジュール１７０からの光漏れを防止するように、前記バックライトモジュール１７０のフレームの底面の、前記連通窓１２０に近い一端が前記遮光板１４０とともに前記反射シートを挟持する。
【００２８】
前記携帯端末１００が第１の状態から第２の状態に変化すると、すなわち、前記携帯端末１００において、前記２つのディスプレイスクリーン１０の裏面が対向設置される状態から、２つのディスプレイスクリーン１０の表示面が同一平面になるまで反転する状態に変化すると、前記回復コラム１３０は前記回復コラム１３０に対応したディスプレイスクリーンの第１の側辺による圧力を受けて、前記第２の接続部品１６０を押圧し、前記回復コラム１３０は前記Ｕ字型溝内へ移動することで、前記ハウジング１１０中に収容される。
【００２９】
前記回復コラム１３０の大部分が前記ディスプレイスクリーン１０中に収容されるため、前記支持柱１３２の残り部分は依然として前記貫通孔１４１及び前記貫通孔１１１１中に位置し、前記遮光板１４０は前記回復コラム１３０により制限されなくなり、且つ前記遮光板１４０は前記第１の接続部品１５０からの張力を受ける。前記遮光板１４０は、前記第１の接続部品１５０により、前記頂壁１１２の方向へ水平移動するように駆動されることで、前記連通窓１２０を開き、且つ前記バックライトモジュール１７０の反射シート１７１及び少なくとも一部の導光板１７２を露出させる。２つのディスプレイスクリーン１０のバックライトモジュール１７０は前記連通窓１２０を介して連通してパブリックバックライトモジュールを構成し、２つのディスプレイスクリーンはパブリックバックライトモジュールを共用できる。
【００３０】
前記反射シート１７１は前記連通窓１２０を介して２つのバックライトモジュール中に位置し、同一のパブリックバックライトモジュール及び反射シート１７１を使用するため、２つのディスプレイスクリーンがバックライトの光線が均一で、輝度が同じである。
【００３１】
２つのバックライトモジュールは同一の反射シート１７１を使用することにより、２つのバックライトモジュール１７０が連通する際に、光が２つのディスプレイスクリーン１０の接続部から漏れることによるバックライト浪費を回避できる。光が２つのディスプレイスクリーン１０の接続部から漏れることを防止するために、２つのディスプレイスクリーン１０がドッキングされた２つの第１の側辺１１１のハウジングでは、前記接続窓１２０の外周に嵌合する凸壁と凹溝が対応して設置され、凸壁と凹溝を嵌合することで、２つのディスプレイスクリーン１０の接続部で密閉空間を構成して光漏れを防止する。
【００３２】
各ディスプレイスクリーン１０の内部に収容装置が更に設置されてもよく、前記収容装置は前記ハウジング１１０の前記第１の側辺１１１に対向設置された側辺に位置し、且つ前記反射シート１７１の前記連通窓１２０に垂直な方向での両端はそれぞれ前記収容装置に接続され、２つのディスプレイスクリーン１０の表示面が同一平面になるまで反転すると、前記反射シート１７１の前記連通窓１２０に垂直な方向での両端はそれぞれ前記収容装置に収容されるとともに、前記反射シート１７１は引っ張られた状態で前記パブリックバックライトモジュールの底部に平坦に敷かれている。
【００３３】
前記携帯端末１００が第２の状態から第１の状態に変化すると、すなわち、前記携帯端末１００において、２つのディスプレイスクリーン１０の表示面が同一平面になる状態から、前記２つのディスプレイスクリーン１０の裏面が対向設置されるように反転する状態に変化すると、前記回復コラム１３０は前記第２の接続部品１６０の力の作用下で、前記切断面１３１の一部が前記ハウジング１１０から延出するまで外へ移動し、この過程において、前記回復コラム１３０における切断面１３１は前記貫通孔１４１の側壁を押圧し続けることで、前記遮光板１４０を前記反射シート１７１に当接されるまで前記ハウジング１１０の底壁方向へ移動させる。この際、前記携帯端末１００は第１の状態に戻る。
【００３４】
図６は本実施形態によるバックライトの制御方法のフローチャートである。図６に示すように、前記方法は上記実施例による携帯端末１００に適用でき、前記携帯端末１００の各ディスプレイスクリーン１０のバックライトは第１の光源群と第２の光源群を含み、前記第２の光源群は２つのディスプレイスクリーン１０が回転可能に接続される一側に近く、前記方法はステップ６０１〜６０３を含む。
【００３５】
ステップ６０１、前記携帯端末が、２つのディスプレイスクリーンが同一平面になるまで反転した大画面状態にあるか否かを検出する。
【００３６】
前記携帯端末１００が２つのディスプレイスクリーン１０を有するため、ユーザーは一方のディスプレイスクリーン１０を使用してもよく、２つのディスプレイスクリーン１０の表示面を同一平面にした前記携帯端末１００の大画面状態を使用してもよい。映画を見たり仕事をしたりする場合は、大画面が使用できる。
【００３７】
従って、該ステップにおいて、前記携帯端末は前記携帯端末の状態をリアルタイムに検出し、前記携帯端末が大画面状態にあるか否かを検出することができる。
【００３８】
ステップ６０２、前記携帯端末が大画面状態にあると、２つのディスプレイスクリーンのうち一方のディスプレイスクリーンの第２の光源群が作動しないように制御する。
【００３９】
二画面携帯端末の２つのディスプレイスクリーンを反転させることにより、２つのディスプレイスクリーンの表示面を同一平面にし、すなわち二画面携帯端末を大画面状態にすると、二画面携帯端末の表示寸法も対応し増大する。たとえば、各ディスプレイスクリーンが４インチである場合、２つのディスプレイスクリーンが反転して表示面を同一平面にすると、二画面携帯端末のディスプレイスクリーンは６インチになる。１つの４インチの画面のバックライトに８個のバックライトランプが必要であるとすると、２つのディスプレイスクリーンは合計で１６個のバックライトランプが必要であるのに対し、１つの６インチのディスプレイスクリーンは１２個のバックライトランプしか必要ではない。このようにして、関連技術による二画面携帯端末は、関連技術のバックライト方式を用いると、資源浪費を招くだけでなく、携帯端末の電力消費量を増大して電力浪費を招く可能性がある。
【００４０】
本実施形態において、前記携帯端末１００が大画面状態にあると、すなわち、２つのディスプレイスクリーン１０の表示面が同一平面になるまで反転すると、２つのディスプレイスクリーン１０のバックライトモジュールは互いに連通して同一のパブリックバックライトモジュールを共用するとともに、各バックライトモジュール中のバックライトは第１の光源群と第２の光源群に分けられる。
【００４１】
従って、該ステップにおいて、前記携帯端末１００が大画面状態にあると、すなわち、前記携帯端末が第２の状態にあると、２つのディスプレイスクリーン１０は表示面が同一平面になるまで反転すると、前記携帯端末１００は２つのディスプレイスクリーンのうち一方のディスプレイスクリーンの第２の光源群が作動しないように制御することにより、大画面状態によるバックライトの輝度への要件を満たして電力消費量を低減させるとともに、携帯端末１００の使用時間を延長させる。第２の光源群が作動しないことは、第２の光源群が点灯しないことを意味する。
【００４２】
ステップ６０３、前記携帯端末が大画面状態ではないと、表示すべきディスプレイスクリーンの第１の光源群と第２の光源群が同時に作動するように制御する。
【００４３】
該ステップにおいて、前記携帯端末１００により、前記携帯端末１００が大画面状態ではなく、つまり、２つのディスプレイスクリーン１０の裏面が対向設置されるか又は２つのディスプレイスクリーン１０が独立に作動すると検出されると、前記携帯端末１００は、表示すべきディスプレイスクリーン１０が作動するように制御し、つまり、表示すべきディスプレイスクリーン１０の第１の光源群と第２の光源群が同時に作動するように制御する。そのうち、第１の光源群と第２の光源群が同時に作動することは、第１の光源群と第２の光源群がすべて点灯することを意味する。
【００４４】
本実施例による携帯端末及びバックライトの制御方法によれば、前記携帯端末は、２つのディスプレイスクリーン及び２つの連通窓を含み、前記２つのディスプレイスクリーンは回転軸により回転可能に接続され、それぞれハウジング及び前記ハウジング中に収容されたバックライトモジュールを含み、各ディスプレイスクリーンのハウジングの第１の側辺に連通窓が設置され、前記２つのディスプレイスクリーンのうち一方のディスプレイスクリーンの第１の側辺は前記回転軸によって前記２つのディスプレイスクリーンのうち他方のディスプレイスクリーンの第１の側辺にドッキングされ、前記２つのディスプレイスクリーンの表示面が同一平面になるまで反転すると、各ディスプレイスクリーンの連通窓が開き、２つのバックライトモジュールが互いに連通してパブリックバックライトモジュールを構成し、２つのディスプレイスクリーンが前記パブリックバックライトモジュールを共用する。
【００４５】
２つのディスプレイスクリーンがドッキングされた側壁に連通窓が設置されることにより、前記２つのディスプレイスクリーンの表示面が同一平面になるまで反転すると、側壁に位置する連通窓は開き、２つのディスプレイスクリーンのバックライトモジュールは連通してパブリックバックライトモジュールを構成する。バックライト板による伝導や反射シートによる反射等により、パブリックバックライトモジュールにおける光が均一に分布されることで、２つのディスプレイスクリーンのバックライトモジュールにおける光量を同じにすることにより、２つのディスプレイスクリーンの輝度を一致させる。２つのディスプレイスクリーンの表示面が同一平面になると、２つのディスプレイスクリーンのうち一方の一部のバックライトが作動するように制御し、携帯端末による輝度の要件を満たし、電力消費量を低減させ、携帯端末の使用時間を延長させることができる。
【００４６】
上記実施例に係る方法は、中央プロセッサ（Ｃｅｎｔｒａｌ  ｐｒｏｃｅｓｓｏｒ）、デジタル信号プロセッサ（Ｄｉｇｉｔａｌ  Ｓｉｇｎａｌ  Ｐｒｏｃｅｓｓｏｒ、ＤＳＰ）又はフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）により実行され、中央プロセッサ、ＤＳＰ及びＦＧＰＡは携帯端末に集積されることができる。中央プロセッサ、ＤＳＰ及びＦＧＰＡは実行可能命令が記憶されたコンピュータ可読記憶媒体を含んでもよく、前記実行可能命令は上記方法を実行するように設置される。上記実施例の方法の全部又は一部のステップは、プログラムが関連ハードウェアに命令を出すことにより行われ、前記プログラムはコンピュータ可読媒体に記憶されることができる。該プログラムが実行される際に、
前記携帯端末が、２つのディスプレイスクリーンが同一表示面になるまで反転した大画面状態にあるか否かを検出するステップと、
前記携帯端末が大画面状態にあると、一方のディスプレイスクリーンの第２の光源群が作動しないように制御するステップと、
前記携帯端末が大画面状態ではないと、表示すべきディスプレイスクリーンの第１の光源群と第２の光源群が同時に作動するように制御するステップとを含む。
【００４７】
前記コンピュータ可読記憶媒体は、たとえば読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等の複数種のプロクラムコードを記憶可能な非一時的記憶媒体であってもよく、一時的な記憶媒体であってもよい。
【産業上の利用可能性】
【００４８】
携帯端末及びバックライトの制御方法は、関連技術による二画面携帯端末において、２つのディスプレイスクリーンが突き合わせられてそれぞれ同一表示面の２部分を表示すると、２つのディスプレイスクリーンの輝度ムラによって携帯端末全体の表示効果が悪いという問題を解決した。
【図１】
2019507360.tif 000003
【図２】
2019507360.tif 000004
【図３】
2019507360.tif 000005
【図４】
2019507360.tif 000006
【図５】
2019507360.tif 000007
【図６】
2019507360.tif 000008
【国際調査報告】
2019507360.tif 000009
2019507360.tif 000010
2019507360.tif 000011
2019507360.tif 000012